(57)【要約】【課題】端子間の短絡を低減できるフレキシブル配線板などを提供する。【解決手段】フレキシブル配線板（第一配線板１１０）は、フレキシブルな絶縁基板１１０ｄと、絶縁基板１１０ｄ上に配置される導電性の第一端子Ｔａと、絶縁基板１１０ｄ上に配置される導電性の第二端子Ｔｂと、絶縁基板１１０ｄ上の第一端子Ｔａと第二端子Ｔｂとの間に配置される導電性のＮＣ端子Ｔｎｃとを備え、第一端子Ｔａ、ＮＣ端子Ｔｎｃ及び第二端子Ｔｂは、所定の配列方向において、均一なピッチで配列され、ＮＣ端子Ｔｎｃの配列方向における幅は、第一端子Ｔａ及び第二端子Ｔｂの配列方向における幅より小さい。【選択図】図７
2020025033.tif 000002
【特許請求の範囲】
【請求項１】
フレキシブルな絶縁基板と、
前記絶縁基板上に配置される導電性の第一端子と、
前記絶縁基板上に配置される導電性の第二端子と、
前記絶縁基板上の前記第一端子と前記第二端子との間に配置される導電性のＮＣ端子とを備え、
前記第一端子、前記ＮＣ端子及び前記第二端子は、所定の配列方向において、均一なピッチで配列され、
前記ＮＣ端子の前記配列方向における幅は、前記第一端子及び前記第二端子の前記配列方向における幅より小さい
フレキシブル配線板。
【請求項２】
前記ＮＣ端子の前記配列方向における幅は、前記ピッチの半分未満である
請求項１に記載のフレキシブル配線板。
【請求項３】
前記第一端子及び前記第二端子の前記配列方向における幅は、前記ピッチの半分より大きい
請求項１又は２に記載のフレキシブル配線板。
【請求項４】
前記第一端子には、第一電圧が印加され、
前記第二端子には、前記第一電圧と異なる第二電圧が印加され、
前記ＮＣ端子は、フローティング状態に維持される
請求項１〜３のいずれか１項に記載のフレキシブル配線板。
【請求項５】
請求項１〜４のいずれか１項に記載のフレキシブル配線板と、
前記フレキシブル配線板が接続される表示パネルとを備える表示装置であって、
前記表示パネルは、
前記第一端子と対向して配置される導電性の第一パネル端子と、
前記第二端子と対向して配置される導電性の第二パネル端子と、
前記ＮＣ端子と対向して配置される導電性のパネルＮＣ端子とを有し、
前記第一パネル端子と、前記パネルＮＣ端子と、前記第二パネル端子とは、前記配列方向に前記ピッチで配列される
表示装置。
【請求項６】
表示パネルに接続されるフレキシブル配線板であって、
前記表示パネルは、
導電性の第一パネル端子と、
導電性の第二パネル端子と、
前記第一パネル端子と前記第二パネル端子との間に配置される導電性のパネルＮＣ端子とを有し、
前記第一パネル端子と、前記パネルＮＣ端子と、前記第二パネル端子とは、所定の配列方向に、均一なピッチで配列され、
前記フレキシブル配線板は、
フレキシブルな絶縁基板と、
前記絶縁基板上に配置され、前記第一パネル端子と接続される導電性の第一端子と、
前記絶縁基板上に配置され、前記第二パネル端子と接続される導電性の第二端子とを備え、
前記フレキシブル配線板の前記第一端子と前記第二端子との間の全表面は、絶縁材料で構成される
フレキシブル配線板。
【請求項７】
請求項６に記載のフレキシブル配線板と、
前記表示パネルとを備える
表示装置。
【発明の詳細な説明】
【技術分野】
【０００１】
本開示は、フレキシブル配線板、及び、当該フレキシブル配線板を備える表示装置に関する。
【背景技術】
【０００２】
従来、有機ＥＬ（Ｅｌｅｃｔｒｏ  Ｌｕｍｉｎｅｓｃｅｎｃｅ）などを用いた表示パネルには、表示パネルの複数のマトリクス状に配置された画素回路に電圧などを供給するプリント基板がフレキシブル配線板を介して接続される（例えば、特許文献１）。このようなフレキシブル配線板の端子と表示パネルの端子とは、例えば、異方性導電フィルム（Ａｎｉｓｏｔｒｏｐｉｃ  Ｃｏｎｄｕｃｔｉｖｅ  Ｆｉｌｍ；ＡＣＦ）を用いて接続される。この場合、フレキシブル配線板の互いに異なる電圧が印加される二つの端子の間には、フローティング状態に維持されたＮＣ端子が配置される。これにより、イオンマイグレーションによる端子間の絶縁劣化を抑制している。
【先行技術文献】
【特許文献】
【０００３】
【特許文献１】特開２００２−３２９９４１号公報
【発明の概要】
【発明が解決しようとする課題】
【０００４】
特許文献１に記載されたプリント基板及びフレキシブル配線板と、表示パネルとを備える表示装置において、さらなる薄型化及び軽量化が求められている。特許文献１に記載された表示装置において、さらなる薄型化及び軽量化を実現するために、プリント基板とフレキシブル配線板との組み合わせを、一つのフレキシブル配線板で置き換える手段が考えられる。
【０００５】
このような手段を採用する場合、フレキシブル配線板の寸法が増大するため、フレキシブル基板の寸法公差も増大する。このため表示パネルの端子と接続されるフレキシブル配線板の端子の位置ずれが大きくなり得る。これに伴い、フレキシブル配線板の互いに異なる電圧が印加される二つの端子が、ＮＣ端子を介して短絡されるおそれがある。
【０００６】
本開示は、上記の課題に鑑みてなされたものであり、端子間の短絡を低減できるフレキシブル配線板などを提供することを目的とする。
【課題を解決するための手段】
【０００７】
上記目的を達成するために、本開示の一態様に係るフレキシブル配線板は、フレキシブルな絶縁基板と、前記絶縁基板上に配置される導電性の第一端子と、前記絶縁基板上に配置される導電性の第二端子と、前記絶縁基板上の前記第一端子と前記第二端子との間に配置される導電性のＮＣ端子とを備え、前記第一端子、前記ＮＣ端子及び前記第二端子は、所定の配列方向において、均一なピッチで配列され、前記ＮＣ端子の前記配列方向における幅は、前記第一端子及び前記第二端子の前記配列方向における幅より小さい。
【０００８】
また、上記目的を達成するために、本開示の一態様に係るフレキシブル配線板は、表示パネルに接続されるフレキシブル配線板であって、前記表示パネルは、導電性の第一パネル端子と、導電性の第二パネル端子と、前記第一パネル端子と前記第二パネル端子との間に配置される導電性のパネルＮＣ端子とを有し、前記第一パネル端子と、前記パネルＮＣ端子と、前記第二パネル端子とは、所定の配列方向に、均一なピッチで配列され、前記フレキシブル配線板は、フレキシブルな絶縁基板と、前記絶縁基板上に配置され、前記第一パネル端子と接続される導電性の第一端子と、前記絶縁基板上に配置され、前記第二パネル端子と接続される導電性の第二端子とを備え、前記フレキシブル配線板の前記第一端子と前記第二端子との間の全表面は、絶縁材料で構成される。
【０００９】
また、上記目的を達成するために、本開示の一態様に係る表示装置は、上記各フレキシブル配線板と、上記表示パネルとを備える。
【発明の効果】
【００１０】
本開示によれば、隣り合う端子間の短絡を低減できるフレキシブル配線板などを提供できる。
【図面の簡単な説明】
【００１１】
【図１】図１は、実施の形態１に係る表示装置の全体構成を示す機能ブロック図である。
【図２】図２は、実施の形態１に係る表示装置の回路基板の構成を示す概略図である。
【図３】図３は、比較例１の表示装置の回路基板の構成を示す概略図である。
【図４】図４は、実施の形態１に係る第一配線板と表示パネルとの接続部の構成を示す概略図である。
【図５】図５は、実施の形態１に係る第一配線板と表示パネルとの接続部を示す第一の概略断面図である。
【図６】図６は、実施の形態１に係る第一配線板と表示パネルとの接続部を示す第二の概略断面図である。
【図７】図７は、実施の形態１に係る第一配線板と表示パネルとの間に位置ずれが発生した場合における第一配線板と表示パネルとの接続部を示す概略断面図である。
【図８】図８は、比較例２の第一配線板と表示パネルとの間に位置ずれが発生していない場合における第一配線板と表示パネルとの接続部を示す概略断面図である。
【図９】図９は、比較例２の第一配線板と表示パネルとの間に位置ずれが発生した場合における第一配線板と表示パネルとの接続部を示す概略断面図である。
【図１０】図１０は、実施の形態２に係る第一配線板と表示パネルとの間に位置ずれが発生していない場合における第一配線板と表示パネルとの接続部を示す概略断面図である。
【図１１】図１１は、実施の形態２に係る第一配線板と表示パネルとの間に位置ずれが発生した場合における第一配線板と表示パネルとの接続部を示す概略断面図である。
【図１２】図１２は、各実施の形態に係る表示装置を内蔵した薄型フラットＴＶの外観図である。
【発明を実施するための形態】
【００１２】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、工程、並びに、工程の順序などは、一例であって本開示を限定する主旨ではない。よって、以下の実施の形態における構成要素のうち、本開示における最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
実施の形態１に係るフレキシブル配線板及び表示装置について説明する。
【００１５】
［１−１．表示装置の全体構成］
まず、本実施の形態に係る表示装置の全体構成について図１を用いて説明する。
【００１６】
図１は、本実施の形態に係る表示装置１の全体構成を示す機能ブロック図である。
【００１７】
本実施の形態に係る表示装置１は、映像信号に基いて映像を表示する装置である。表示装置１は、図１に示されるように、機能的には、表示部２と、電源回路３と、データ線駆動回路４０と、ゲート駆動回路５０と、制御回路６０とを備える。
【００１８】
表示部２は、各々が発光素子及び当該発光素子を発光駆動するための回路素子を備える複数の画素回路２０が行列状に配置された表示パネルである。発光素子は、供給される電流に応じて輝度が変化する。発光素子として、例えば、有機ＥＬ素子、マイクロＬＥＤ素子などを用いることができる。
【００１９】
電源回路３は、複数の画素回路２０を有する表示パネル（図１では不図示）に供給する電源電圧を出力する回路である。電源回路３は、表示部２の外周領域に配置された給電線３０から各画素回路２０に電源電圧を給電する。なお、給電線３０は、複数の電源線を含み、複数の電源線は、それぞれ異なる電圧を画素回路２０に供給する。本実施の形態では、電源回路３は、一つのＩＣチップで実現される。
【００２０】
制御回路６０は、入力される映像信号に対応する階調信号を表示パネルに供給する回路である。本実施の形態では、制御回路６０は、データ線駆動回路４０とゲート駆動回路５０とを制御する。制御回路６０は、外部から入力された映像信号に基づいて各発光素子の発光輝度に対応する階調信号を生成し、生成した階調信号をデータ線駆動回路４０へ出力する。
【００２１】
また、制御回路６０は、入力される同期信号に基づいてゲート駆動回路５０を制御するための制御信号を生成し、当該生成した制御信号をデータ線駆動回路４０及びゲート駆動回路５０へ出力する。制御回路６０は、具体的には、ＣＰＵ及びタイミングコントローラを備える。制御回路６０では、入力された同期信号に基づいて、ＣＰＵがタイミングコントローラを制御することにより、タイミングコントローラからデータ線駆動回路４０及びゲート駆動回路５０へ制御信号を出力する。本実施の形態では、制御回路６０は、一つのＩＣチップで実現される。
【００２２】
データ線駆動回路４０は、制御回路６０で生成された階調信号に基づいて、表示部２のデータ線を駆動する。より具体的には、データ線駆動回路４０は、映像信号及び水平同期信号に基づいて、各画素回路に映像信号を反映した映像信号電圧（データ電圧）を出力する。
【００２３】
ゲート駆動回路５０は、制御回路６０で生成された制御信号に基づいて、表示部２の走査線などを駆動する。より具体的には、ゲート駆動回路５０は、垂直同期信号及び水平同期信号に基づいて、各画素回路に走査信号などを、少なくとも表示ライン単位で出力する。
【００２４】
［１−２．回路基板］
本実施の形態に係る表示装置１が備える回路基板について、図２を用いて説明する。図２は、本実施の形態に係る表示装置１の回路基板９の構成を示す概略図である。図２には、表示装置１の表示面の裏側が示されている。
【００２５】
図２に示されるように、本実施の形態に係る表示装置１は、構造的には、回路基板９と、表示パネル１２とを備える。
【００２６】
表示パネル１２は、図１に示される複数の画素回路２０を有する。本実施の形態では、表示パネル１２は、図１に示される表示部２と、データ線駆動回路４０と、ゲート駆動回路５０とを有する。
【００２７】
回路基板９は、複数の画素回路２０を有する表示パネル１２に電源電圧を供給する基板である。回路基板９は、図２に示されるように、電源配線板１００と、第一配線板１１０と、第二配線板１２０と、第一ケーブル１５０と、第二ケーブル１６０とを備える。本実施の形態では、回路基板９は、さらに、第一映像ケーブル１９１と、第二映像ケーブル１９２と、第一映像配線板１７０と、第二映像配線板１８０と、第一映像接続板１３３ａ〜１３３ｆと、第二映像接続板１３４ａ〜１３４ｆとを備える。
【００２８】
電源配線板１００は、電源電圧を出力する電源回路３と、制御回路６０とを有する基板である。本実施の形態では、電源配線板１００は、プリント回路板で実現され、電源回路３及び制御回路６０にそれぞれ対応する二つのＩＣチップが実装されている。また、電源配線板１００には、第一ケーブル１５０、第二ケーブル１６０、第一映像ケーブル１９１及び第二映像ケーブル１９２がそれぞれ接続されるコネクタ１０５、１０６、１０７及び１０８が実装される。なお、図示しないが、電源配線板１００は、制御回路６０とコネクタ１０７及び１０８とを接続する配線などの他の配線、制御回路６０に電力を供給する電源ＩＣなどをさらに有する。
【００２９】
第一配線板１１０は、電源電圧が印加される配線を有する本実施の形態に係るフレキシブル配線板の一例である。本実施の形態では、第一配線板１１０は、ＦＰＣ（Ｆｌｅｘｉｂｌｅ  Ｐｒｉｎｔｅｄ  Ｃｉｒｃｕｉｔ）で実現される。第一配線板１１０には、第一ケーブル１５０が接続される。第一ケーブル１５０は、例えば、ＡＣＦを用いて第一配線板１１０と接続される。第一配線板１１０は、電源電圧以外の信号が印加される配線がプリントされていてもよい。第一配線板１１０は、表示パネル１２と接続される。第一配線板１１０と表示パネル１２との接続構成については、後述する。
【００３０】
第二配線板１２０は、電源電圧が印加される配線を有する本実施の形態に係るフレキシブル配線板の一例である。本実施の形態では、第二配線板１２０は、ＦＰＣで実現される。第二配線板１２０には、第二ケーブル１６０が接続される。第二ケーブル１６０は、例えば、ＡＣＦを用いて第二配線板１２０と接続される。第二配線板１２０は、電源電圧以外の信号が印加される配線がプリントされていてもよい。第二配線板１２０は、表示パネル１２と接続される。第二配線板１２０と表示パネル１２との接続構成については、後述する。
【００３１】
第一ケーブル１５０は、電源配線板１００と第一配線板１１０とを接続するケーブルである。第一ケーブル１５０は、複数の芯線を形成する導体を含み、フレキシブルな（つまり、可撓性を有する）平板状のケーブルであってもよい。第一ケーブル１５０は、例えば、ＦＦＣ（Ｆｌｅｘｉｂｌｅ  Ｆｌａｔ  Ｃａｂｌｅ）で実現される。
【００３２】
第二ケーブル１６０は、電源配線板１００と第二配線板１２０とを接続するケーブルである。第二ケーブル１６０は、複数の芯線の形成する導体を含み、フレキシブルな平板状のケーブルであってもよい。第二ケーブル１６０は、例えば、ＦＦＣで実現される。
【００３３】
第一映像ケーブル１９１は、電源配線板１００と第一映像配線板１７０とを接続するケーブルであって、制御回路６０が出力する階調信号が印加される。また、第一映像ケーブル１９１には、制御回路６０が出力する制御信号が印加されてもよい。第一映像ケーブル１９１は、複数の芯線を形成する導体を含み、フレキシブルな平板状のケーブルであってもよい。第一映像ケーブル１９１は、例えば、ＦＦＣで実現される。
【００３４】
第二映像ケーブル１９２は、電源配線板１００と第二映像配線板１８０とを接続するケーブルであって、制御回路６０が出力する階調信号が印加される。また、第二映像ケーブル１９２には、制御回路６０が出力する制御信号が印加されてもよい。第二映像ケーブル１９２は、複数の芯線を形成する導体を含み、フレキシブルな平板状のケーブルであってもよい。第二映像ケーブル１９２は、例えば、ＦＦＣで実現される。
【００３５】
第一映像配線板１７０は、階調信号が印加される基板である。第一映像配線板１７０は、制御信号が印加されてもよい。本実施の形態では、第一映像配線板１７０は、プリント回路板で実現され、コネクタ１７５が実装される。コネクタ１７５には、第一映像ケーブル１９１が接続される。
【００３６】
第二映像配線板１８０は、階調信号が印加される基板である。第二映像配線板１８０は、制御信号が印加されてもよい。本実施の形態では、第二映像配線板１８０は、プリント回路板で実現され、コネクタ１８５が実装される。コネクタ１８５には、第二映像ケーブル１９２が接続される。
【００３７】
第一映像接続板１３３ａ〜１３３ｆは、第一映像配線板１７０と、表示パネル１２とを接続するフレキシブル配線板である。第一映像接続板１３３ａ〜１３３ｆは、それぞれ、複数の芯線を形成する導体を含み、フレキシブルな平板状の基板であってもよい。第一映像接続板１３３ａ〜１３３ｆは、例えば、ＦＰＣで実現される。第一映像接続板１３３ａ〜１３３ｆは、第一映像配線板１７０及び表示パネル１２と、例えば、ＡＣＦなどを用いて接続される。
【００３８】
第二映像接続板１３４ａ〜１３４ｆは、第二映像配線板１８０と、表示パネル１２とを接続するフレキシブル配線板である。第二映像接続板１３４ａ〜１３４ｆは、それぞれ、複数の芯線を形成する導体を含み、フレキシブルな平板状の基板であってもよい。第二映像接続板１３４ａ〜１３４ｆは、例えば、ＦＰＣで実現される。第二映像接続板１３４ａ〜１３４ｆは、第二映像配線板１８０及び表示パネル１２と、例えば、ＡＣＦなどを用いて接続される。
【００３９】
本実施の形態に係る回路基板９の効果について、図３を用いて説明する。図３は、比較例１の表示装置１００１の回路基板１００９の構成を示す概略図である。図２には、表示装置１００１の表示面の裏側が示されている。
【００４０】
図３に示されるように、比較例１の表示装置１００１は、構造的には、回路基板１００９と、表示パネル１２とを備える。比較例１の回路基板１００９は、主に第一配線板１０１０及び第二配線板１０２０の構成において、本実施の形態に係る回路基板９と相違し、その他の構成において一致する。比較例１の第一配線板１０１０及び第二配線板１０２０は、リジッドな、つまり、フレキシブルでないプリント回路板である点において、本実施の形態に係る第一配線板１１０及び第二配線板１２０と相違する。また、これに伴い、比較例１の第一配線板１０１０及び第二配線板１０２０には、それぞれ、フレキシブルな第一接続板１３１ａ〜１３１ｃ及び第二接続板１３２ａ〜１３２ｃが接続される。比較例１の第一配線板１０１０及び第二配線板１０２０は、それぞれ、第一接続板１３１ａ〜１３１ｃ及び第二接続板１３２ａ〜１３２ｃを介して表示パネル１２に接続される。また、比較例１の第一配線板１０１０及び第二配線板１０２０は、それぞれ第一ケーブル１５０及び第二ケーブル１６０を接続するためのコネクタ１１５及びコネクタ１２５を有する。
【００４１】
このように、比較例１の回路基板１００９は、構成が複雑化され、コネクタ１１５及び１２５などの構成要素も追加される。一方、本実施の形態に係る表示装置１では、第一配線板１１０及び第二配線板１２０を直接表示パネルに接続でき、かつ、コネクタなども不要であるため、比較例１の表示装置１００１より薄型化及び軽量化が可能となる。
【００４２】
［１−３．フレキシブル配線板の端子構成］
本実施の形態に係る第一配線板１１０などのフレキシブル配線板の端子構成について、図４〜図６を用いて説明する。図４は、本実施の形態に係る第一配線板１１０と表示パネル１２との接続部の構成を示す概略図である。図４は、図２に示される破線枠ＩＶの内部の拡大図である。図５及び図６は、本実施の形態に係る第一配線板１１０と表示パネル１２との接続部を示す概略断面図である。図５及び図６には、それぞれ図４に示されるＶ−Ｖ線及びＶＩ−ＶＩ線における断面が示されている。
【００４３】
図４及び図６に示されるように、本実施の形態に係る第一配線板１１０は、フレキシブルな絶縁基板１１０ｄと、絶縁基板１１０ｄ上に配置される導電性の第一端子Ｔａと、絶縁基板１１０ｄ上に配置される導電性の第二端子Ｔｂと、絶縁基板１１０ｄ上の第一端子Ｔａと第二端子Ｔｂとの間に配置される導電性のＮＣ端子Ｔｎｃとを備える。
【００４４】
絶縁基板１１０ｄは、薄膜状の絶縁体である。絶縁基板１１０ｄを形成する材料は、フレキシブルな絶縁材料であれば、特に限定されない。絶縁基板１１０ｄを形成する材料として例えばポリイミドなどを用いることができる。また、絶縁基板１１０ｄの厚さは、例えば１０μｍ以上１００μｍ以下程度である。
【００４５】
第一端子Ｔａは、表示部２の複数の画素回路２０に印加するための第一電圧が印加される端子である。本実施の形態では、第一端子Ｔａには、電源回路３から第一ケーブル１５０を介して第一電圧が印加される。
【００４６】
第二端子Ｔｂは、表示部２の複数の画素回路２０に印加するための第二電圧が印加される端子である。第二電圧は、第一電圧と異なる。本実施の形態では、第二端子Ｔｂには、電源回路３から第二ケーブル１６０を介して第二電圧が印加される。
【００４７】
ＮＣ端子Ｔｎｃは、フローティング状態に維持される端子である。
【００４８】
第一端子Ｔａ、第二端子Ｔｂ及びＮＣ端子Ｔｎｃは、長尺状の導体である。本実施の形態では、各端子は、絶縁基板１１０ｄ上に形成された薄膜状の導体である。各端子は、例えば、絶縁基板１１０ｄ上に形成された銅箔などをエッチングすることによって形成される。
【００４９】
第一端子Ｔａ、第二端子Ｔｂ及びＮＣ端子Ｔｎｃは、所定の配列方向において、均一なピッチで配列される。つまり、隣り合う端子の配列方向における中心間距離は均一である。本実施の形態では、第一端子Ｔａ、第二端子Ｔｂ及びＮＣ端子Ｔｎｃは、絶縁基板１１０ｄの端縁に沿った方向であって、各端子の長手方向に交差する方向である配列方向に配列される。また、第一配線板１１０は、複数の第一端子Ｔａと、複数の第二端子Ｔｂと、複数の第一端子Ｔａ及び複数の第二端子Ｔｂの間に配置された一つのＮＣ端子Ｔｎｃとを備える。複数の第一端子Ｔａ、複数の第二端子Ｔｂ及びＮＣ端子Ｔｎｃは、配列方向において均一なピッチで配列される。
【００５０】
ＮＣ端子Ｔｎｃの配列方向における幅は、第一端子Ｔａ及び第二端子Ｔｂの配列方向における幅より小さい。また、ＮＣ端子Ｔｎｃの配列方向における幅は、複数の第一端子Ｔａ、複数の第二端子Ｔｂ及びＮＣ端子Ｔｎｃの配列のピッチの半分未満である。なお、本実施の形態では、複数の第一端子Ｔａ及び複数の第二端子Ｔｂの幅は等しい。
【００５１】
表示パネル１２は、第一配線板１１０との接続部において、絶縁基板１２ｄと、第一端子Ｔａと対向して配置される導電性の第一パネル端子Ｔａ１と、第二端子Ｔｂと対向して配置される導電性の第二パネル端子Ｔｂ１と、ＮＣ端子Ｔｎｃと対向して配置される導電性のパネルＮＣ端子Ｔｎｃ１とを有する。第一パネル端子Ｔａ１と、パネルＮＣ端子Ｔｎｃ１と、第二パネル端子Ｔｂ１とは、第一配線板１１０の端子と同一の均一なピッチで配列される。
【００５２】
絶縁基板１２ｄは、表示パネル１２の表示部２が配置される面の裏側の面に配置される絶縁体である。なお、図５及び図６では、表示パネル１２の第一配線板１１０との接続部付近だけが模式的に示されている。
【００５３】
また、表示パネル１２と第一配線板１１０とは、例えば、ＡＣＦ（不図示）で接続される。
【００５４】
なお、第二配線板１２０は、第一配線板１１０と同様の構成を有する。表示パネル１２と第二配線板１２０とは、例えば、ＡＣＦで接続される。
【００５５】
また、図６に示されるように、第一配線板１１０の複数の第一端子Ｔａの配列方向における幅Ｌは、隣り合う二つの第一端子Ｔａ間の隙間Ｓより大きい。同様に、第一配線板１１０の複数の第二端子Ｔｂの配列方向における幅は、隣り合う二つの第二端子Ｔｂ間の隙間より大きい。また、表示パネル１２の複数の第一パネル端子Ｔａ１及び複数の第二パネル端子Ｔｂ１の配列方向における幅も、それぞれ、隣り合う二つの第一パネル端子Ｔａ１間の隙間及び隣り合う二つの第二パネル端子Ｔｂ１間の隙間より大きい。つまり、第一端子Ｔａ及び第二端子Ｔｂの配列方向における幅は、ピッチの半分より大きい。これにより、第一配線板１１０の第一端子Ｔａ及び第二端子Ｔｂと表示パネル１２の第一パネル端子Ｔａ１及び第二パネル端子Ｔｂ１との間の接触抵抗を低減できる。
【００５６】
［１−４．第一配線板及び第二配線板の作用］
次に、本実施の形態に係る第一配線板１１０及び第二配線板１２０の作用について説明する。
【００５７】
上述したように、本実施の形態に係る表示装置１は、フレキシブルな第一配線板１１０及び第二配線板１２０を備えるため、図３に示される比較例１の表示装置１００１より薄型化及び低コスト化が可能となる。しかしながら、本実施の形態に係る第一配線板１１０及び第二配線板１２０は、比較例１の第一接続板１３１ａ〜１３１ｃ及び第二接続板１３２ａ〜１３２ｃより寸法が大きくなるため、寸法公差も大きくなる。したがって、表示パネル１２と第一配線板１１０及び第二配線板１２０との間の位置ずれが、比較例１の表示装置１００１より大きくなり得る。このような位置ずれが発生した場合における第一配線板１１０と表示パネル１２との接続部の状態について、図７〜図９を用いて比較例２と比較しながら説明する。
【００５８】
図７は、本実施の形態に係る第一配線板１１０と表示パネル１２との間に位置ずれが発生した場合における第一配線板１１０と表示パネル１２との接続部を示す概略断面図である。図８は、比較例２の第一配線板１１１０と表示パネル１２との間に位置ずれが発生していない場合における第一配線板１１１０と表示パネル１２との接続部を示す概略断面図である。図９は、比較例２の第一配線板１１１０と表示パネル１２との間に位置ずれが発生した場合における第一配線板１１１０と表示パネル１２との接続部を示す概略断面図である。なお、図７〜図９は、図６に示される断面と同様の位置における断面が示されている。
【００５９】
図８に示される比較例２の第一配線板１１１０は、ＮＣ端子Ｔｎｃ２の構成において、本実施の形態に係る第一配線板１１０と相違し、その他の構成において一致する。比較例２の第一配線板１１１０のＮＣ端子Ｔｎｃ２は、第一端子Ｔａ、ＮＣ端子及び第二端子Ｔｂの配列方向における幅が、第一端子Ｔａ及び第二端子Ｔｂの配列方向における幅と等しい。つまり、ＮＣ端子Ｔｎｃ２の配列方向における幅は、ＮＣ端子Ｔｎｃ２と第一端子Ｔａ及び第二端子Ｔｂとの間の隙間より大きい。このため、比較例２の第一配線板１１１０と表示パネル１２との間に位置ずれが発生した場合、図９に示されるように、第一端子Ｔａが、表示パネル１２のパネルＮＣ端子Ｔｎｃ１と、第一配線板１１１０のＮＣ端子Ｔｎｃ２とを介して、第二端子Ｔｂと短絡するという問題が発生し得る。
【００６０】
一方、本実施の形態に係る第一配線板１１０を用いる場合には、ＮＣ端子Ｔｎｃの配列方向における幅が他の端子の幅より小さい。このため、図７に示されるように、第一端子Ｔａ及び第二端子Ｔｂの配列方向における幅が、ピッチの半分より大きく、かつ、第一配線板１１０と表示パネル１２との間に位置ずれが発生する場合にも、ＮＣ端子Ｔｎｃと、ＮＣ端子と隣り合う第一端子Ｔａ及び第二端子Ｔｂとが、対向するパネルＮＣ端子Ｔｎｃ１などを介して短絡することを低減できる。したがって、第一端子Ｔａと第二端子Ｔｂとが短絡することを低減できる。
【００６１】
また、本実施の形態では、ＮＣ端子Ｔｎｃの配列方向における幅は、第一端子Ｔａ、ＮＣ端子Ｔｎｃ及び第二端子Ｔｂの配列のピッチの半分未満である。これにより、ＮＣ端子Ｔｎｃと、ＮＣ端子Ｔｎｃと隣り合う第一端子Ｔａ及び第二端子Ｔｂとが、対向するパネルＮＣ端子Ｔｎｃ１などを介して短絡することをより確実に低減できる。
【００６２】
また、第一端子Ｔａには、第一電圧が印加され、第二端子Ｔｂには、第一電圧と異なる第二電圧が印加される場合にも、第一端子Ｔａと第二端子Ｔｂとが短絡されることによって第一端子Ｔａと第二端子Ｔｂとの間に過電流が流れることを低減できる。
【００６３】
また、ＮＣ端子Ｔｎｃの配列方向における幅は、表示パネル１２のパネルＮＣ端子Ｔｎｃ１と第一パネル端子Ｔａ１及び第二パネル端子Ｔｂ１との間の隙間より小さくてもよい。これにより、より一層確実に、第一端子Ｔａと第二端子Ｔｂとの間の短絡を低減できる。
【００６４】
［１−５．まとめ］
以上のように、本実施の形態に係る第一配線板１１０は、フレキシブルな絶縁基板１１０ｄと、絶縁基板１１０ｄ上に配置される導電性の第一端子Ｔａと、絶縁基板１１０ｄ上に配置される導電性の第二端子Ｔｂと、絶縁基板１１０ｄ上の第一端子Ｔａと第二端子Ｔｂとの間に配置される導電性のＮＣ端子Ｔｎｃとを備え、第一端子Ｔａ、ＮＣ端子Ｔｎｃ及び第二端子Ｔｂは、所定の配列方向において、均一なピッチで配列され、ＮＣ端子Ｔｎｃの配列方向における幅は、第一端子Ｔａ及び第二端子Ｔｂの配列方向における幅より小さいフレキシブル配線板である。
【００６５】
このように、ＮＣ端子Ｔｎｃの配列方向における幅が他の端子の幅より小さいため、第一配線板１１０と、第一配線板１１０が接続される表示パネル１２との間に位置ずれが発生する場合にも、ＮＣ端子Ｔｎｃと、ＮＣ端子Ｔｎｃと隣り合う第一端子Ｔａ及び第二端子Ｔｂとが、対向するパネルＮＣ端子Ｔｎｃ１などを介して短絡することを低減できる。したがって、第一端子Ｔａと第二端子Ｔｂとが短絡することを低減できる。
【００６６】
また、第一配線板１１０において、ＮＣ端子Ｔｎｃの配列方向における幅は、ピッチの半分未満であってもよい。
【００６７】
これにより、ＮＣ端子Ｔｎｃと、ＮＣ端子と隣り合う第一端子Ｔａ及び第二端子Ｔｂとが、対向するパネルＮＣ端子Ｔｎｃ１などを介して短絡することをより確実に低減できる。
【００６８】
また、第一配線板１１０において、第一端子Ｔａ及び第二端子Ｔｂの配列方向における幅は、ピッチの半分より大きくてもよい。
【００６９】
これにより、第一端子Ｔａ及び第二端子Ｔｂと、それらがそれぞれ接続される第一パネル端子Ｔａ１及び第二パネル端子Ｔｂ１との間の接触抵抗を低減できる。
【００７０】
また、第一配線板１１０において、第一端子Ｔａには、第一電圧が印加され、第二端子Ｔｂには、第一電圧と異なる第二電圧が印加され、ＮＣ端子Ｔｎｃは、フローティング状態に維持されてもよい。
【００７１】
このように、第一端子Ｔａと第二端子Ｔｂとにそれぞれ異なる電圧が印加される場合にも、それらの短絡が低減されるため、第一端子Ｔａと第二端子Ｔｂとの間に過電流が流れることを低減できる。
【００７２】
また、本実施の形態に係る表示装置１は、第一配線板１１０と、第一配線板１１０が接続される表示パネル１２とを備える。表示パネル１２は、第一端子Ｔａと対向して配置される導電性の第一パネル端子Ｔａ１と、第二端子Ｔｂと対向して配置される導電性の第二パネル端子Ｔｂ１と、ＮＣ端子Ｔｎｃと対向して配置される導電性のパネルＮＣ端子Ｔｎｃ１とを有し、第一パネル端子Ｔａ１と、パネルＮＣ端子Ｔｎｃ１と、第二パネル端子Ｔｂ１とは、配列方向に第一端子Ｔａ、ＮＣ端子Ｔｎｃ及び第二端子Ｔｂと同じピッチで配列される。
【００７３】
このような表示装置１によれば、第一配線板１１０と、表示パネル１２との接続部において、ＮＣ端子と第一端子Ｔａ及び第二端子ＴｂとがパネルＮＣ端子Ｔｎｃ１などを介して短絡することを低減できる。したがって、第一端子Ｔａと第二端子Ｔｂとが短絡することを低減できる。
【００７４】
（実施の形態２）
実施の形態２に係るフレキシブル配線板及び表示装置について説明する。本実施の形態に係るフレキシブル配線板は、ＮＣ端子を備えない点において、実施の形態１に係るフレキシブル配線板と相違し、その他の点において一致する。以下の本実施の形態に係るフレキシブル配線板及び表示装置について図１０及び図１１を用いて説明する。
【００７５】
図１０は、本実施の形態に係る第一配線板２１０と表示パネル１２との間に位置ずれが発生していない場合における第一配線板２１０と表示パネル１２との接続部を示す概略断面図である。図１１は、本実施の形態に係る第一配線板２１０と表示パネル１２との間に位置ずれが発生した場合における第一配線板２１０と表示パネル１２との接続部を示す概略断面図である。
【００７６】
本実施の形態に係る表示装置は、図１０及び図１１に示されるような第一配線板２１０と、表示パネル１２とを備える。
【００７７】
図１０及び図１１に示される第一配線板２１０は、本実施の形態に係るフレキシブル配線板の一例である。第一配線板２１０は、表示パネル１２に接続されるフレキシブル配線板である。表示パネル１２は、導電性の第一パネル端子Ｔａ１と、導電性の第二パネル端子Ｔｂ１と、第一パネル端子Ｔａ１と第二パネル端子Ｔｂ１との間に配置される導電性のパネルＮＣ端子Ｔｎｃ１とを有する。第一パネル端子Ｔａ１と、パネルＮＣ端子Ｔｎｃ１と、第二パネル端子Ｔｂ１とは、所定の配列方向に、均一なピッチで配列される。
【００７８】
第一配線板２１０は、フレキシブルな絶縁基板１１０ｄと、絶縁基板１１０ｄ上に配置され、第一パネル端子Ｔａ１と接続される導電性の第一端子Ｔａと、絶縁基板１１０ｄ上に配置され、第二パネル端子Ｔｂ１と接続される導電性の第二端子Ｔｂとを備える。第一端子Ｔａは、第一パネル端子Ｔａ１と対向して配置され、第二端子Ｔｂは、第二パネル端子Ｔｂ１と対向して配置される。第一配線板２１０の第一端子Ｔａと第二端子Ｔｂとの間の全表面は、絶縁材料で構成される。言い換えると、第一配線板２１０の第一端子Ｔａと第二端子Ｔｂとの間に実施の形態１に係るＮＣ端子Ｔｎｃのような導電体が配置されない。
【００７９】
本実施の形態では、第一配線板２１０は、複数の第一端子Ｔａと、複数の第二端子Ｔｂとを備える。複数の第一端子Ｔａと、複数の第二端子Ｔｂとは、配列方向において均一なピッチで配列される。当該ピッチは、表示パネル１２の第一パネル端子Ｔａ１、パネルＮＣ端子Ｔｎｃ１及び第二パネル端子Ｔｂ１の配列のピッチと等しい。第二端子Ｔｂに最も近い位置に配置された第一端子Ｔａと、第一端子Ｔａに最も近い位置に配置された第二端子Ｔｂとの中心間距離は、当該ピッチの二倍である。
【００８０】
第一配線板２１０が以上のような構成を有することにより、図１１に示されるように、第一配線板２１０と表示パネル１２との間に位置ずれが発生した場合にも、隣り合う第一端子Ｔａと第二端子Ｔｂとの間の短絡を低減できる。
【００８１】
（変形例など）
以上、本開示に係るフレキシブル配線板及び表示装置について、各実施の形態に基づいて説明してきたが、本開示に係るフレキシブル配線板及び表示装置は、上記各実施の形態に限定されるものではない。各実施の形態における任意の構成要素を組み合わせて実現される別の実施の形態や、各実施の形態に対して本開示の主旨を逸脱しない範囲で当業者が思いつく各種変形を施して得られる変形例や、本実施の形態に係る表示装置を内蔵した各種機器も本開示に含まれる。
【００８２】
例えば、上記各実施の形態に係る表示装置は、図１２に示されるような薄型フラットＴＶ３００に内蔵される。上記各実施の形態に係る表示装置により、薄型化及び軽量化された薄型フラットＴＶを実現できる。
【００８３】
また、上記各実施の形態では、フレキシブル配線板を第一配線板及び第二配線板に適用する構成を示したが、フレキシブル配線板は、第一映像配線板及び第二映像配線板などの他の配線板などにおいても適用可能である。
【００８４】
また、上記各実施の形態では、回路基板は、第一配線板及び第二配線板を備えるが、電源電圧を表示パネル１２に供給する配線板の個数は、二つに限定されず、三つ以上でもよい。この場合、回路基板は、電源配線板１００と、各配線板とを接続する三つ以上のケーブルを備えてもよい。
【００８５】
また、上記各実施の形態では、第一配線板及び第二配線板は、表示パネル１２の上端に配置されるが、表示パネル１２の下端に配置されてもよい。また、上記各実施の形態では、第一映像配線板１７０及び第二映像配線板１８０は、表示パネル１２の下端に配置されるが、表示パネル１２の上端に配置されてもよい。
【産業上の利用可能性】
【００８６】
本開示は、有機ＥＬフラットパネルディスプレイに有用であり、特に、薄型化及び軽量化が特に求められる大画面のディスプレイにおいて用いるのに最適である。
【符号の説明】
【００８７】
１、１００１    表示装置
２    表示部
３    電源回路
９、１００９  回路基板
１２    表示パネル
１２ｄ、１１０ｄ    絶縁基板
２０    画素回路
３０    給電線
４０    データ線駆動回路
５０    ゲート駆動回路
６０    制御回路
１００    電源配線板
１０５、１０６、１０７、１０８、１１５、１２５、１７５、１８５    コネクタ
１１０、２１０、１０１０、１１１０    第一配線板
１２０、１０２０    第二配線板
１３１ａ、１３１ｂ、１３１ｃ    第一接続板
１３２ａ、１３２ｂ、１３２ｃ    第二接続板
１３３ａ、１３３ｂ、１３３ｃ、１３３ｄ、１３３ｅ、１３３ｆ    第一映像接続板
１３４ａ、１３４ｂ、１３４ｃ、１３４ｄ、１３４ｅ、１３４ｆ    第二映像接続板
１５０    第一ケーブル
１６０    第二ケーブル
１７０    第一映像配線板
１８０    第二映像配線板
３００    薄型フラットＴＶ
Ｔａ    第一端子
Ｔａ１    第一パネル端子
Ｔｂ    第二端子
Ｔｂ１    第二パネル端子
Ｔｎｃ、Ｔｎｃ２    ＮＣ端子
Ｔｎｃ１    パネルＮＣ端子
【図１】
2020025033.tif 000003
【図２】
2020025033.tif 000004
【図３】
2020025033.tif 000005
【図４】
2020025033.tif 000006
【図５】
2020025033.tif 000007
【図６】
2020025033.tif 000008
【図７】
2020025033.tif 000009
【図８】
2020025033.tif 000010
【図９】
2020025033.tif 000011
【図１０】
2020025033.tif 000012
【図１１】
2020025033.tif 000013
【図１２】
2020025033.tif 000014